(57)【要約】【課題】気化手段の除菌、消臭、長寿命化を可能とする空気清浄機を提供する。【解決手段】気化フィルター３７と、この気化フィルターへ給水する加湿タンク３６と、前記気化フィルターへ送風する送風手段３とを備え、前記気化フィルターに可視光応答型光触媒処理を施し、前記気化フィルターに照射可能な照明機構３８を具備することにより、気化フィルターに発生した雑菌を可視光により除菌することが可能である。【選択図】図１２
2014112030.tif 000002
【特許請求の範囲】
【請求項１】
気化手段と、この気化手段へ給水する給水手段と、前記気化手段へ送風する送風手段とを備え、前記気化手段に可視光応答型光触媒処理を施し、前記気化手段に照射可能な照明機構を具備することを特徴とする加湿器及び空気清浄機。
【請求項２】
同一基板に隣接して取り付けられるガスセンサーと温度センサーがパターンにて接続される基板を備えた空気清浄機であって、
前記パターンに蛇行部を形成したことを特徴とする空気清浄機。
【請求項３】
同一基板に隣接して取り付けられるガスセンサーと温度センサーがパターンにて接続される基板を備えた空気清浄機であって、
前記パターンが前記ガスセンサーと前記温度センサーとは別の場所を経由して形成されたことを特徴とする空気清浄機。
【発明の詳細な説明】
【技術分野】
【０００１】
本発明は、静電霧化装置を備えた空気清浄機及び加湿器に関する。
【背景技術】
【０００２】
従来は気化式およびヒーターを使用した温風気化式の加湿機構にとって気化手段に発生する雑菌により、室内に菌を放出したり、不快な臭いが発生する問題があった。そこで、近年では気化手段自体に抗菌作用を持たせ、除菌、消臭を行っていた（特許文献１参照）。
【０００３】
従来、湿度制御機能付の空気清浄機は、ガスセンサーと室温センサーと湿度センサーによって空気の状態を制御している。ガスセンサーはヒーターを内蔵し、空気を燃焼させて空気中の汚れを検出する。したがって、ガスセンサーと室温センサーが隣接していると室温センサーがガスセンサーの熱の影響を受けてしまう。
【０００４】
しかし、センサー類は、製品本体のまとめた配置に配置したい為、ガスセンサーと室温センサーは同一基板上に配置されていた（特許文献２参照）。
【先行技術文献】
【特許文献】
【０００５】
【特許文献１】特開２００９―１３９００８号公報
【特許文献２】特表平１１−５０７１２３号公報
【発明の開示】
【発明が解決しようとする課題】
【０００６】
しかし特許文献１では、気化手段に抗菌薬剤を添着させているだけなので、時間とともに効果が低減していた。
【０００７】
しかし特許文献２では、センサー類は、製品本体のまとめた位置に配置したい為、ガスセンサーと室温センサーは隣接してしまい、室温センサーはガスセンサーの熱の影響を受けてしまうという問題点があった。
【０００８】
そこで、本発明は上記問題点を解決して、気化手段の除菌、消臭、長寿命化を可能とする空気清浄機を提供することを第１の目的とする。
【０００９】
本発明の第２の目的は、室温センサーがガスセンサーの熱の影響を受けない空気清浄機を提供することにある。
【課題を解決するための手段】
【００１０】
請求項１の空気清浄機では、気化手段と、この気化手段へ給水する給水手段と、前記気化手段へ送風する送風手段とを備え、前記気化手段に可視光応答型光触媒処理を施し、前記気化手段に照射可能な照明機構を具備することを特徴とする。
【００１１】
請求項２の空気清浄機では、同一基板に隣接して取り付けられるガスセンサーと温度センサーがパターンにて接続される基板を備えた空気清浄機であって、前記パターンに蛇行部を形成したことを特徴とする。
【００１２】
請求項３の空気清浄機では、同一基板に隣接して取り付けられるガスセンサーと温度センサーがパターンにて接続される基板を備えた空気清浄機であって、前記パターンが前記ガスセンサーと前記温度センサーとは別の場所を経由して形成されたことを特徴とする。
【発明の効果】
【００１３】
請求項１の発明によれば、気化フィルターに可視光応答型光触媒処理を施すことにより、気化フィルターに発生した雑菌を可視光により除菌することが可能である。また、照明機構を具備することにより、可視光応答型光触媒処理を施した気化フィルターを効率よく除菌することが可能である。
【００１４】
請求項２の発明によれば、ガスセンサーの出す熱が、室温センサーへ伝わることを防ぐことができる。
【００１５】
請求項３の発明によれば、ガスセンサーの出す熱が、室温センサーへ伝わることを防ぐことができる。
【図面の簡単な説明】
【００１６】
【図１】本発明の第１実施例における空気清浄機の構成を示すブロック図である。
【図２】同上、空気清浄機本体の内部構造を示す斜視図である。
【図３】同上、空気清浄機の要部断面図である。
【図４】同上、水タンクの斜視図である。
【図５】同上、前面パネル部材を外した状態を示す斜視図である。
【図６】同上、図５の状態から水タンクを取り外した状態を示す斜視図である。
【図７】同上、前側ケース部材を外して水タンクを取り外した状態を示す斜視図である。
【図８】同上、図７の状態から、本体ケースを取り外した状態を示す斜視図である。
【図９】同上、吐出口から本体ケースを取り外した状態を示す斜視図である。
【図１０】本発明の第２実施例における空気清浄機の構成を示すブロック図である。
【図１１】同上、空気清浄機の斜視図である。
【図１２】同上、空気清浄機の要部拡大斜視図である。
【図１３】本発明の第３実施例における空気清浄機の斜視図である。
【図１４】同上、センサー基板の斜視図である。
【図１５】同上、センサー基板を裏面から見た平面図である。
【図１６】同上、空気清浄機の構成を示すブロック図である。
【図１７】本発明の第４実施例におけるセンサー基板を裏面から見た平面図である。
【発明を実施するための最良の形態】
【００１７】
以下、添付図面を参照しながら、本発明における空気清浄機の好ましい実施例を説明する。
【実施例１】
【００１８】
図１乃至図９は、本発明の空気清浄機の第１実施例を示すものである。図１に空気清浄機の概略的な構成を示す。空気清浄機に備えた制御手段１は、具体的に例えばマイクロコンピュータなどで構成され、マイクロコンピュータの記憶手段（図示せず）に記憶されたプログラムの制御シーケンスにしたがって、一連の動作を行うように構成してある。その制御手段１の入力側には、操作ボタン，操作スイッチ，タッチパネル等からなる操作手段２を備えている。また制御手段１の出力側には、空気清浄機から外部に向けて空気を送り出す送風運転を行う送風ファンなどの送風手段３と、水を微細化する機構としての静電霧化装置４とを備えている。また、制御手段１には、静電霧化装置４の制御を行う静電霧化装置制御手段５を備えている。
【００１９】
符号６に示す中空箱型に形成された空気清浄機本体には、上部に前記操作手段２と、空気清浄機本体６の前面に着脱自在に形成した前面パネル部材７とを備える。
【００２０】
図３の空気清浄機の断面図を示すように、空気清浄機本体６内部上部の吐出口８付近には前述の静電霧化装置６を備えており、送風手段３により空気清浄機本体６の例えば前面側、背面側、側面側、或いは底側に備えた吸気口（図示せず）から取り込んだ室内空気を、図示しない塵埃類を捕集するフィルタを備えた空気清浄装置を通過させて空気を清浄化し、この清浄化した空気を空気清浄機本体６上部に備えた吐出口８から吐出する循環気流の送風路に静電霧化装置６により発生したミストを加えて本体１外部に吐出するものである。ここで、空気清浄機本体６は前側ケース部材９と後側ケース部材１０とに分割可能に備えており、この前側ケース部材９は、前面パネル部材７を外した状態でのみ後側ケース部材１０から取り外し可能に備えたものである。
【００２１】
前側ケース部材９の上面部における静電霧化装置４上部と対向する部分には、矩形状の開口部分に格子体を一体的に配置して構成されたミスト用吐出口１１を設けている。ここで、ミスト用吐出口１１の格子体１２は開口縁ごと取り外し可能としてもよい。
【００２２】
さらに、前側ケース部材９の前面部における静電霧化装置４と対向する部分には、円形の開口部分に格子体を一体的に配置して構成されたミスト用吸気口１３が形成されている。
【００２３】
前側ケース部材９のミスト用吸気口１３の下方には、後述する水タンク１６を出し入れ自在に形成された矩形状のタンク取出し口１４を設けている。ここで、ミスト用吸気口１３及びタンク取出し口１４は、前側ケース部材９の前方に取り付けられた前側パネル部材１２によって被覆され、外部に露出されないように設けられている。
【００２４】
また、空気清浄機本体内部においてミスト用吸気口１３と静電霧化装置４との間には、ミスト用吸気口１３から取り込んだ空気を静電霧化装置４に向けて送風するミスト用送風手段１５を備えており、このミスト用送風手段１５は軸流ファンに限らず、シロッコファン等の遠心ファンとしてもよい。また、このミスト用送風手段１５には、空気清浄機本体６の小型化又は薄型化のために、容積の小さなものを用いることが好ましい。
【００２５】
ここで、図３を基に静電霧化装置６の概略を説明すると、この静電霧化装置６は、給液手段たる水タンク１６と、水タンク１６より毛細管現象により水が搬送される一方の電極たる放電電極１７と、この放電電極１７に対向して設けられる他方の電極たる対向電極１８と、この放電電極１７と対向電極１８との間に高電圧を印加する電圧印加手段（図示せず）を有している。
【００２６】
放電電極１７は、例えば多孔質のセラミックスのその細孔より小さな孔を無数に備えた多孔質のポリエステルの集合体から成り、その先端が円弧状に形成されると共に基端側を水タンク１６に接続された、一本又は複数本の棒状体である。この放電電極１７は前記多孔質な構造により、吸水性を有しており、水タンク１６に接続された基端としての後述する導入口２１を介して給水部材２２から水タンク１６内部の液体（水）をその先端まで吸い上げ可能な構造としている。
【００２７】
さらに、静電霧化装置４では、放電電極１７を収容する本体ケース１９を備えており、この本体ケース１９の下部からは対向電極１８が外部に露出して設けられており、さらに本体ケース１９の側面下部を水平方向外側へと突出させた水平突出部２０の先端には、水平方向に突出させた円筒状の導入口２１を備えている。この導入口２１には本体ケース１９内に水を呼び込む給水部材２２が設けられている。この給水部材２２は、吸水性に優れた材料から形成された棒材又は紐材からなり、導入口２１に水タンク１６の送出口２３を嵌合させた状態で、導入口２１から水タンク１６の底部付近まで届く長さに形成されたものである。
【００２８】
一方、水タンク１６の上部には、前述の導入口２１に外嵌可能に形成された円筒状の送出口２３を備えており、この送出口２３と本体ケース１９の導入口２１を嵌合させて、導入口２１から給水部材２２を水タンク１６内部に案内して、水タンク１６内部の水を前述の給水部材２２の毛細管現象を利用して本体ケース１９内部へ送水可能とするものである。
【００２９】
２４は、空気清浄機本体６内部に本体ケース１９を載置可能に設けた台座であり、この台座２４の前方には、水タンク１６の空気清浄機本体６内部での前後方向の位置決めするために垂直方向に立設された位置決め部材２５を一体的に備えている。
【００３０】
また図４に示すように、水タンク１６内部にカルキ除去剤２６を備えるとともに、水タンク１６の上面部に略矩形状の給水口２７を備え、この給水口３３を開閉自在とする給水蓋２８を備えている。
【００３１】
ここで、カルキ除去剤２６は、多孔質材料からなる略直方体形状の塊体である。カルキ除去剤２６は、水タンク１６内の水に溶解しているカルキ等の不純物を吸着除去するものであれば、活性炭やセラミックス等の微細な細孔を無数に有し表面積が大きい多孔質材料に限定されるものではない。また、カルキ除去剤２６の形状についても直方体に限定されるものではない。
【００３２】
また、給水蓋２８については、ヒンジによる回転式の開閉機構やスライド式の開閉機構のような各種開閉機構等としてもよい。また、給水蓋２８に片手での開閉を可能とする摘み部や取手を備えてもよい。
【００３３】
さらに、水タンク１６の側面部には、略コ字型形状を有する取手部２９を一体に備えており、図５に示すように水タンク１６は取手部２９が導入口２１から外部へ露出するように配置されている。
【００３４】
ここで図５〜図９に基づき、本実施例の静電霧化装置４の水タンク１６と本体ケース１９の取り外し方法の一例を示す。図５に示すように水タンク１６は、空気清浄機本体６から前面パネル部材７を取り外した状態から、図６に示すように取手２９を掴んで本体ケース１９に対して空気清浄機本体６の前後方向前方に向けて移動させて、導入口２１と送出口２３の嵌合を解除して、タンク取出し口１４を通じて空気清浄機本体６に対して取り外し可能に備えている。
【００３５】
また、水タンク１６は、図７に示すように空気清浄機本体６から前側ケース部材９を取り外した状態から本体ケース１９から取り外し可能に備えている。
【００３６】
本体ケース１９についても、図８に示すように空気清浄機本体６から前側ケース部材９を取り外した状態から水タンク１６を空気清浄機本体６から取り外した後、水タンク１６の取り外し方向と同じ向き、つまり空気清浄機本体６の前後方向前方に向けて移動させて、水タンク１６同様、タンク取出し口１４を通じて空気清浄機本体６に対して取り外し可能に備えている。
【００３７】
ここで、本体ケース１９は、図９に示すように水タンク１６を空気清浄機本体６から取り外した状態から、空気清浄機本体６の上下方向上方に向けて移動させて、ミスト用吐出口１１を通じて空気清浄機本体６に対して取り外し可能にも備えられている。
【００３８】
以上の構成について作用を述べると、先ずは電源（図示せず）からの電力供給を受けた状態で空気清浄機の表示・操作手段２の各種スイッチを操作して、空気清浄機を作動させる。作動した空気清浄機では、送風手段３より、吸気口から吐出口８へと空気の流れである送風路Ｆが形成される。
【００３９】
この送風路Ｆにおいて、吸気口から本体１内部に取り込まれた室内空気は、フィルタ装置を通過することにより、室内空気中の塵埃等が捕集され、清浄化される。続いて、フィルタ装置を通過して清浄化された空気は、送風手段３により空気清浄機本体６内を吐出口８へと送り出される。そして、この清浄化された空気は、吐出口８側に配設された静電霧化装置６により発生したピコメートルサイズ（ここで、ピコメートル＝ｐｍ＝１０-12メートル）のミストＭと共にミスト用吐出口１１から室内に吐出される。そして、ミスト用吐出口１１から吐出されたミストＭを含んだ空気は、送風路Ｆに乗って室内に拡散する。以上の空気の流れが継続されることにより、室内空気が清浄化される。
【００４０】
ここで、静電霧化装置６によるピコメートルサイズのミストＭの発生についてその説明をすると、静電霧化装置６において放電電極１７と対向電極１８との間に電圧印加手段２５（図示せず）により電圧が印加されると、放電電極１７の先端への電荷の集中が起こり、毛細管現象により水タンク１６から放電電極１７の先端へと吸い上げられた水と対向電極１８との間にクーロン力が働くことで水は帯電して、このクーロン力が水の表面張力を超えると水が分裂（レイリー分裂）を繰り返し、ＯＨラジカル（ハイドロキシラジカル又は水酸化ラジカル）等のラジカル（radical又はフリーラジカル、遊離基）たる活性種を含有したピコメートルサイズの粒子径のミストＭを発生させるものである。
【００４１】
この場合、放電電極１７を、例えば多孔質のセラミックスのその細孔より小さな孔を無数に有する多孔質のポリエステルの集合体から構成することにより、上述したように水は毛細管現象によってこの極めて微小な孔より放電電極１７の先端へと滲み出るように吸い上げられる。さらに、放電電極１７の先端を円弧状にすることにより、対向電極１８に対向する放電電極１７の対向面積を大きく形成することで、放電電極１７と対向電極１８との間に電圧を印加した場合の放電電極１７の先端への電荷の集中を和らげる。そして、放電電極１７の先端への電荷の集中を和らげることで、弱い電荷で徐々に水を分裂させていき、ナノメートルサイズより更に微小な粒子径を有するピコメートルサイズのミストＭを発生させることが可能である。
【００４２】
そして、本実施例の静電霧化装置６により発生するミストＭの粒子径をピコメートルサイズとしたことにより清浄化された空気の流れにさらに乗りやすくなり、拡散性が向上しており、このため静電霧化装置６により発生するピコメートルサイズのミストＭに含有するＯＨラジカル（ハイドロキシラジカル又は水酸化ラジカル）等のラジカル（radical又はフリーラジカル、遊離基）たる活性種によって、室内空気中の浮遊成分や室内壁面への付着物についての除菌・脱臭機能を有効に活用することで、広範囲に亘り、効果的な除菌・脱臭を行うことが可能である。
【００４３】
また、ミスト機構としての静電霧化装置４を備えた空気清浄機であって、静電霧化装置４に液体としての水を供給する容器である水タンク１６を、静電霧化装置４の本体ケース１９から独立して空気清浄機本体６に着脱自在に備え、本体ケース１９も空気清浄機本体６に水タンク１６とは異なる取付位置である台座２４に着脱自在に備えたことにより、水タンク１６のみの着脱だけではなく、必要に応じて本体ケース１９も取り外すことを可能にしている。そのため、静電霧化装置４の本体ケース１９を空気清浄機本体６に残したまま、水タンク１６のみ取り外し可能な構造としたことで、水タンクのみを着脱して容易に水の補給を行うことが可能となるとともに、水タンク１６も小さくすることが可能となり空気清浄機本体６から容易に外すことができる。また、静電霧化装置４は水タンク１６と本体ケース１９が一体ではないので、水タンク１６を空気清浄機本体６に残したまま本体ケース１９を容易に外すことが可能となり、本体ケース１９や放電電極１７等に蓄積した水垢等の除去等のお手入れを容易に行うことができる。
【００４４】
さらに、静電霧化装置４の本体ケース１９は、水タンク１６の着脱方向とは別の方向であるミスト用吐出口１１から空気清浄機本体６に着脱自在に備えたことにより、水を微細化する機構の取り外し方法として、水タンク１６の着脱方向であるタンク取出し口１４方向以外のミスト用吐出口１１方向から取り外し可能に備えたことにより、水タンク１６は空気清浄機本体６に残したまま、本体ケース１９だけ取り外すことが可能となるので、本体ケース１９や放電電極１７等に蓄積した水垢等の除去等のお手入れ際に本体ケース１９を容易に取り外すことが可能となる。
【００４５】
また、静電霧化装置４は、ピコメートルサイズのミストＭを発生させるものとしたことにより、ピコメートルサイズのミストＭによる室内空気中の浮遊成分や室内壁面への付着物についての除菌・脱臭機能を有効に活用することで、広範囲に亘り、効果的な除菌・脱臭を行うことが可能となる。
【００４６】
以上のように本実施例は、小径ミストＭを発生させＯＨラジカルを生成させる静電霧化装置４を備え、小径ミストＭはピコメートルサイズであり、静電霧化装置４の電極部である本体ケース１９と貯水部である水タンク１６を分割して備え、水タンク１６にはカルキ除去剤２６を備えた。
【００４７】
この場合、静電霧化装置４にて小径ミストＭを発生させることにより、ＯＨラジカルを生成し、除菌、消臭効果を得ることができる。また小径ミストＭをピコメートルサイズにすることにより風に乗りやすく、遠くまで小径ミストＭを運ぶことが可能である。さらに、本体ケース１９と水タンク１６を分割することで、水タンク１６の給水作業の利便性を向上させることが可能である。また、カルキ除去剤２６を配することで、給水部材２２や静電霧化装置４の電極部を構成する放電電極１７や対向電極１８へのカルキ付着を抑制でき、静電霧化装置４の長寿化を図ることが可能である。
【００４８】
また本実施例は、水タンク１６には取手部２９と、開閉自在な給水口２７を備えた。
【００４９】
この場合、水タンク１６に取手部２９を有することで、水タンク１６の可搬性を向上させることが可能である。また、給水口２７を片手で開閉可能な給水蓋２８によって開閉自在とすることにより、水タンク１６に給水作業の利便性を向上させることが可能である。
【実施例２】
【００５０】
図１０乃至図１２は本発明の第２実施例を示すもので、第１実施例との共通部分には共通の符号を付し、共通する箇所の説明は重複を避けるため極力省略する。図１０に空気清浄機の概略的な構成を示す。空気清浄機に備えた制御手段１は、具体的に例えばマイクロコンピュータなどで構成され、マイクロコンピュータの記憶手段（図示せず）に記憶されたプログラムの制御シーケンスにしたがって、一連の動作を行うように構成してある。その制御手段１の入力側には、操作手段２の他に、空気清浄機周辺の室内の温度を検出する温度検知手段３０と、空気清浄機周辺の湿度を検出する湿度検知手段３１を備えている。また制御手段１の出力側には、送風手段３と静電霧化装置４の他に、空気清浄機から外部に向けて乾燥空気を送り出す除湿運転を行う除湿手段３２と、空気清浄機から外部に向けて加湿空気を送り出す加湿運転を行う加湿手段３３を備えている。また、制御手段１には、静電霧化装置制御手段５の他に、プログラムの制御シーケンスにしたがって温度検出手段３０及び湿度検出手段３１からの検出信号に基づき、自動的に除湿手段３２、加湿手段３３および送風手段３のオンオフ制御を行い、除湿運転、加湿運転および送風運転に自動的に運転を切り替える運転切替手段３４を備えている。
【００５１】
図１１に空気清浄機の外観を示す。空気清浄機本体６には、上部に前記操作手段２と、空気清浄機本体６の前面に着脱自在に形成した前面パネル部材７とを備えるともに、除湿手段３２に備えた除湿タンク３５と、加湿手段３３の加湿タンク３６を互いに独立させて空気清浄機本体６に着脱自在に備えている。
【００５２】
ここで、本実施例における除湿手段３２は、除湿後に空気清浄機本体６内部で回収された凝縮水を除湿タンク３５に貯水する構成であればよく、その除湿方式についても圧縮機としてコンプレッサーを用いたコンプレッサー式（冷凍サイクル式）や、デシカント式（ゼオライト式，シリカゲル式）や、コンプレッサー式とデシカント式を組み合せたハイブリッド式のもの等に適応可能である。
【００５３】
また本実施例における加湿手段３３は、加湿タンク３６から給水を受ける構成であればよく、その加湿方式についても、ヒータ等による電熱により水を沸騰させ、そのスチームを送風手段７によって放出させるスチームファン式や、超音波によって水を微細な粒子にして加湿空気を放出する超音波式や、送風手段３により水を含んだ気化フィルターや不織布に空気を通して加湿空気を放出する気化式のもの等に適用可能である。
【００５４】
ここで本実施例の加湿手段６を気化式のものとして説明すると、図１２に示すように空気清浄機本体６内部には、加湿タンク３６内の水を吸湿する吸湿手段として可視光応答型光触媒処理を施した気化フィルター３７と、この気化フィルター３７に可視光を照射可能な照明機構３８を備えている。
【００５５】
空気清浄機本体６内には、空気清浄機本体６の吸気口（図示せず）から、送風装置10及び気化フィルター３７を通って、空気清浄機本体６の上部にある吐出口８に至る通気路（図示せず）が形成されている。送風手段３は、吸気口から空気清浄機本体６の内部に空気を取り込んで、これを気化フィルター３７に送り出すものであり、気化フィルター３７に風を当てて、この気化フィルター３７に吸湿した加湿用水を気化することで、吐出口８から空気清浄機本体６の外部に加湿空気を送り出すようにしている。なお、ここには図示しないが、送風手段３で取り込んだ空気を気化フィルター３７に温風として送り出すために、送風手段３と気化フィルター３７との間にヒータ等の加熱装置を設けてもよい。
【００５６】
ここで、照明機構３８は、空気清浄機本体６内の通気路の送風手段３と気化フィルター３７との間に気化フィルター３７に対して直接的及び間接的に可視光を照射し得るように設けられた蛍光灯やＬＥＤ等の光源である。
【００５７】
次に、上記構成についてその作用を説明する。先ず加湿タンク３６に加湿用水を入れて、空気清浄機本体６に加湿タンク３６を設置する。これにより、加湿タンク３６内の加湿用水は気化フィルター３７に導かれる。気化フィルター３７は加湿用水を吸い上げる。こうして、気化フィルター３７に加湿用水を吸湿させた後で、操作手段２の運転スイッチ（図示せず）をオンにすると、送風手段３が作動し、吸気口から空気清浄機本体６内に空気が取り込まれる。そして、気化フィルター３７に風が当たると、この気化フィルター３７に吸湿した加湿用水は気化され、吐出口８から空気清浄機本体６の外部に加湿空気として送り出される。
【００５８】
また、空気清浄機では、操作手段２の運転スイッチをオンにすると、照明機構３８が発光し始め、気化フィルター３７に対して可視光を照射する。これにより、気化フィルター３７に施された可視光応答型光触媒が光触媒反応を起こし、気化フィルター３７に蓄積される有機物による汚れが、水と炭酸ガスに分解される。このように、気化フィルター３７の付着物そのものを、可視光応答型の光触媒反応により分解するので、長期にわたり気化フィルター３７の吸湿能力が低下したり、カビや雑菌が増殖して臭いが発生する虞れを防止できる。
【００５９】
本実施例では、気化フィルター３７に可視光応答型光触媒処理を施すことにより、気化フィルター３７に発生した雑菌を室内の照明などの可視光により分解することが可能となり、気化フィルター３７のお手入れの回数を減らすことができる。また、気化フィルター３７が常時可視光により雑菌の分解が行われている為、気化フィルター３７の長寿命化も実現することが可能である。
【００６０】
また、空気清浄機本体６に照明機構３８を具備することにより、室内の照明よりも効率よく可視光応答型光触媒処理を施した気化フィルター３７に可視光を照射することが可能であるから、気化フィルター３７への除菌効果をさらに高めることが可能である。
【００６１】
尚、本実施例の気化フィルター３７と照明機構３８については、本実施例の空気清浄機と同様に送風手段３、加湿手段３３、加湿タンク３６を備えた加湿器についても適用可能である。また除湿タンク３５と加湿タンク３６を共通とし、タンクを一つだけとした空気清浄機や加湿器についても適用可能である。
【００６２】
以上のように本実施例は請求項１に対応しており、気化手段としての気化フィルター３７と、この気化フィルター３７へ給水する給水手段としての加湿タンク３６と、気化フィルター３７へ送風する送風手段３とを備え、気化フィルター３７に可視光応答型光触媒処理を施し、気化フィルター３７に照射可能な照明機構３８を具備している。
【００６３】
この場合、気化フィルター３７に可視光応答型光触媒処理を施すことにより、気化フィルター３７に発生した雑菌を可視光により除菌することが可能である。また、照明機構３８を具備することにより、可視光応答型光触媒処理を施した気化フィルター３７を効率よく除菌することが可能である。さらに、気化フィルター３７に直接抗菌薬剤を添着していないので、従来の空気清浄機や加湿器の気化フィルターよりも長寿命化を可能とするものである。
【実施例３】
【００６４】
図１３乃至図１６は本発明の第３実施例を示すもので、第１実施例及び第２実施例との共通部分には共通の符号を付し、共通する箇所の説明は重複を避けるため極力省略する。
【００６５】
本実施例では、図１３に示すように空気清浄機本体６の前面部の上部の左右片側に空気清浄機本体６内外を貫通する複数の貫通孔からなる空気取り入れ窓３９が形成され、空気清浄機本体６内部の空気取り入れ窓３９に対向する箇所に各種センサーが実装されたセンサー基板４０を備えている。
【００６６】
次に図１４に基づいてセンサー基板４０の構成について説明する。センサー基板４０は、周知のようにガラスエポキシなどの絶縁基材４１の両面に、銅箔などの導電パターンをエッチング形成して構成される。
【００６７】
このセンサー基板４０の一側面である表面４３にはガスセンサー４４と湿度検知手段としての湿度センサー３１が実装されており、センサー基板４０の他側面である裏面４５の略中央部分には温度検知手段としてのチップ型室温センサー３０（以下、室温センサーと呼称する）が実装されている。
【００６８】
ここで、図１５に示すようにセンサー基板４０の表面４３の長手方向（図中、Ｘ方向）の一方にガスセンサー４４を配設して、湿度センサー３１をガスセンサー４４から所定の間隔をおいて表面４３の長手方向の他方に配設している。
【００６９】
さらに、ガスセンサー４４と室温センサー３０と湿度センサー３１は、センサー基板４０の表面４３または裏面４５から見た投影方向において、ガスセンサー４４、室温センサー３０、湿度センサー３１の順で互いに重ならないように所定の間隔Ｌ１，Ｌ２をおいて配置されたものとする（図１５参照）。
【００７０】
そして、センサー基板４０の表面４３上と裏面４５上にそれぞれ取り付けられたガスセンサー４４と室温センサー３０は、センサー基板４０を介し隣接して取り付けられたものである。
【００７１】
また、センサー基板４０の表面４３において、湿度センサー３１とセンサー基板４０の端部との間には、センサー基板４０と空気清浄機本体６内の電気部品（図示せず）とを複数のリード線４６を介して電気的に接続するコネクター４７が実装されている。
【００７２】
図１５に示すように、センサー基板４０の裏面４５において、ガスセンサー４４と室温センサー３０とを接続する第１の導電パターン４８にはガスセンサー４４と室温センサー間を平行に複数回蛇行して形成された蛇行部４９が設けられており、この導電パターン４８からは室温センサー３０を湿度センサー３１とコネクター４７とに二股に分かれて接続する第２の導電パターン５０が一体的に連続して設けられている。
【００７３】
また、図中の符号５１はガスセンサー４４とコネクター４７を接続する第３の導電パターンであり、また符号５２は室温センサー３０とコネクター４７を接続する第４の導電パターンであり、さらに符号５３は湿度センサー３１とコネクター４７を接続する導電パターンである。これらの導電パターン５１，５２，５３は互いに所定の間隔をあけつつ、各スルーホール５４間をほぼ直接的に接続するものである。
【００７４】
続いて本実施例の空気清浄機の電気的な構成を図１６に基づき説明する。制御手段１の入力側には操作手段２の他に、温度検知手段としてのチップ型室温センサー３０と、湿度検知手段としての湿度センサー３１と、ガスセンサー４４とを備えている。図１６におけるその他の構成については前述の実施例１及び実施例２と重複するので、説明を省略する。
【００７５】
次に上記構成についてその作用を説明する。本実施例の空気清浄機が室内空気を浄化しているとき、空気取り込み窓３９から空気清浄機本体６内に吸い込まれた室内空気は、センサー基板４０に導かれ、これら室温センサー３０と湿度センサー３１とガスセンサー４４により室内空気中の温度や湿度や臭気の強さ（汚染度）を検知する。ここで、ガスセンサー４４は、内臓するヒーター（図示せず）によって空気清浄機本体６内に取り込まれた空気を燃焼させて空気中の汚れを検出し、制御手段１はガスセンサー４４からの検知結果を基に、臭気の有無及びそれらの各量を推定し、制御手段１により臭気が強いと推定すると、送風手段３の回転速度を上げて室内への吹出し風量を増やす。かくして空気清浄機では、フィルタ装置（図示せず）によって多くの塵埃類を迅速に集塵することができ、短時間でより多くの室内空気を浄化できる。これに対して、制御手段１によって、臭気が弱いと推定した場合には、制御手段１により送風手段３のファンの回転速度を下げて排出風量を減らす。このように本実施例では、室内空気の汚染度に応じて清浄空気の吹出し量を調節するようにしたので、室内空気の汚染度の状況変化に合わせて最適な排出風量に制御でき、室内空気の塵埃類を迅速かつ確実に除去することができる。
【００７６】
以上のように本実施例は請求項２に対応しており、同一のセンサー基板４０に隣接して取り付けられるガスセンサー４４と温度センサーとしての室温センサー３０がパターンとしての導電パターン４８にて接続されるセンサー基板４０を備えた空気清浄機であって、導電パターン４８に蛇行部４９を形成した。
【００７７】
この場合、ガスセンサー４４のヒーター（図示せず）が放出する熱が蛇行部４９によって冷却されるため、ガスセンサー４４が出す熱が室温センサー３０へ伝わることを防ぐことができる。
【実施例４】
【００７８】
図１７は本発明の第４実施例を示すもので、第１〜第３実施例との共通部分には共通の符号を付し、共通する箇所の説明は重複を避けるため極力省略する。
【００７９】
本実施例では、図１７に示すように、センサー基板４０の裏面４５において、ガスセンサー４４と室温センサー３０は、ガスセンサー４４とコネクター４７を接続するガスセンサー−コネクター間導電パターン５５と、室温センサー３０とコネクター４７を接続する室温センサー−コネクター間導電パターン５６とをコネクター４７側で接続することで電気的に接続されている。このように、ガスセンサー４４と室温センサー３０は、コネクター４７を経由する導電パターン５５，５６によって接続されている。図中の符号５７は湿度センサー３１とコネクター４７を接続する導電パターンである。
【００８０】
以上のように本実施例は請求項３に対応しており、同一のセンサー基板４０に隣接して取り付けられるガスセンサー４４と温度センサーとしての室温センサー３０がパターンとしての導電パターンとしてのガスセンサー−コネクター間導電パターン５５と室温センサー−コネクター間導電パターン５６にて接続されるセンサー基板４０を備えた空気清浄機であって、ガスセンサー−コネクター間導電パターン５５と室温センサー−コネクター間導電パターン５６がガスセンサー４４と室温センサー３０とは別の場所であるコネクター４７を経由して形成されている。
【００８１】
この場合、ガスセンサー４４のヒーター（図示せず）が放出する熱がガスセンサー−コネクター間導電パターン５５で冷却されるため、ガスセンサー４４が出す熱が室温センサー３０へ伝わることを防ぐことができる。また、室温センサー３０とガスセンサー４４の間のスペースが少なく、室温センサー３０とガスセンサー４４を接続する導電パターン５５，５６に熱を冷却するための蛇行部が形成できなくても、室温センサー３０がガスセンサー４４の熱の影響を受けなくすることができる。
【００８２】
なお、本発明は上記各実施例に限定されるものではなく、種々の変形実施が可能である。例えば、本実施形態においては対向電極１８を備えた静電霧化装置６について述べているが、対向電極１８は必ずしも必要ではなく、接地電位に対して高電圧を放電電極１７に印加しさえすれば静電霧化が行われるものである。また、放電電極１７の素材や形状及び構成、放電電極１７への水の供給方法については適宜変更が可能である。
【００８３】
本実施例の静電霧化装置にナノメートルサイズのミストを発生させる機能を備えてもよく、ピコメートルサイズのミストとナノメートルサイズのミストを両方発生させる機能を備えてもよい。
【符号の説明】
【００８４】
３６  加湿タンク（給水手段）
３７  気化フィルター（気化手段）
３８  照明機構
４０  センサー基板（基板）
４４  ガスセンサー
４７  コネクター（別の場所）
４８  第１の導電パターン（パターン）
４９  蛇行部
５５  ガスセンサー−コネクター間導電パターン（パターン）
５６  室温センサー−コネクター間導電パターン（パターン）
【図１】
2014112030.tif 000003
【図２】
2014112030.tif 000004
【図３】
2014112030.tif 000005
【図４】
2014112030.tif 000006
【図５】
2014112030.tif 000007
【図６】
2014112030.tif 000008
【図７】
2014112030.tif 000009
【図８】
2014112030.tif 000010
【図９】
2014112030.tif 000011
【図１０】
2014112030.tif 000012
【図１１】
2014112030.tif 000013
【図１２】
2014112030.tif 000014
【図１３】
2014112030.tif 000015
【図１４】
2014112030.tif 000016
【図１５】
2014112030.tif 000017
【図１６】
2014112030.tif 000018
【図１７】
2014112030.tif 000019